(57)【要約】  【課題】質量体の装着部が簡単な構造で取付作業が容易な鍵盤装置を提供する。  【解決手段】鍵２０と、該鍵に連動して回動する質量体３０と、これらの鍵及び質量体を上下方向に回動可能に支持する鍵盤フレーム４０とを備え、質量体３０は、鍵２０又はその連動部材の動作を受ける受動部３５と、錘部３１と、該錘部の保持部３２と、鍵盤フレーム４０への取付け部３３と、取付け部３３を保持部３２に対して上下方向に回動可能に連結する薄肉部３４とを備え、保持部３２、取付け部３３及び薄肉部３４は樹脂により一体成形されていることを特徴とする電子楽器用鍵盤装置。【選択図】図１
2008241885.tif 000002
【特許請求の範囲】
【請求項１】
鍵と、該鍵に連動して回動する質量体と、これらの鍵及び質量体を上下方向に回動可能に支持する鍵盤フレームとを備え、前記質量体は、鍵又はその連動部材の動作を受ける受動部と、錘部と、該錘部の保持部と、前記鍵盤フレームへの取付け部と、前記取付け部を前記保持部に連結し、弾性変形により前記保持部を前記錘部と共に上下方向に回動させ得る薄肉部とを備え、前記保持部、取付け部及び薄肉部は、樹脂により一体成形されていることを特徴とする電子楽器用鍵盤装置。
【請求項２】
前記連結部が上下方向に延びていることを特徴とする請求項１に記載の電子楽器用鍵盤装置。
【発明の詳細な説明】
【技術分野】
【０００１】
本発明は、電子楽器に用いられる鍵盤装置に関する。
【背景技術】
【０００２】
電子楽器用鍵盤装置は、通常、鍵と、該鍵に連動して回動する質量体と、これらの鍵及び質量体を上下方向に回動可能に支持する鍵盤フレームとを備えている。質量体は、金属棒や金属塊の錘を樹脂による成形体部分で保持した構造となっており、回動時の慣性力により、押鍵時のタッチ感に適度の重さを与えるようになっている。
【０００３】
従来の鍵盤装置は、例えば特許文献１に記載されており、図１４に示すように、鍵盤フレーム１００に固定された支点１０１を軸として、鍵１０２の後部が回動可能に支持されている。質量体１０３は、金属棒１０４を樹脂製の保持部１０５で保持して構成されている。保持部の前寄り部分には凹部１０５ａが形成され、鍵盤フレームに固定された軸部１０６に該凹部１０５ａが嵌められている。そして、Ｓ字状のばね１０７の前端を凹部１０５ａの直ぐ後方に接触させ、後端を鍵盤フレームに接触させて保持部１０５を前方に押圧している。これにより、質量体１０３は、軸部１０６に回動可能に支持されている。鍵１０２の前端付近からは、アクチュエータ１０８が下方に延び、その下部に係合軸１０９が固定されている。質量体１０３の保持部１０５は、前端部に係合凹所１０５ｂが形成され、該凹所が係合軸１０９に係合している。したがって、鍵１０２を押し下げると、アクチュエータ１０８及び係合軸１０９の下降に伴って、質量体１０３は、軸部１０６を中心として回動する。
【特許文献１】特開平１０−３２８９号公報
【発明の開示】
【発明が解決しようとする課題】
【０００４】
従来の電子楽器用鍵盤装置は、このように、質量体１０３を軸部１０６に支持する構造となっていたので、軸部１０６に嵌合する凹部１０５ａを質量体１０３に形成し、その後方部分をばね１０７で押圧するという複雑な構造となっており、その取付けに手間を要していた。一方、ばねを用いないで軸部に質量体を支持するには、質量体に幅方向の孔を設けて、該孔に軸部を通す構造となり、動作部分の接触部で雑音が発生するおそれがあり、その防止のために緩衝材や潤滑剤を必要とするため、やはり複雑な構造となり、取付作業に手間を要する。
【０００５】
本発明は、これら従来技術の問題を解決し、質量体の取付けのための構造が簡単であり取付作業が容易な鍵盤装置を提供することを目的とする。
【課題を解決するための手段】
【０００６】
本発明は、前記目的を達成するため、鍵と、該鍵に連動して回動する質量体と、これらの鍵及び質量体を上下方向に回動可能に支持する鍵盤フレームとを備え、前記質量体は、鍵又はその連動部材の動作を受ける受動部と、錘部と、該錘部の保持部と、前記鍵盤フレームへの取付け部と、前記取付け部を前記保持部に連結し、弾性変形により前記保持部を前記錘部と共に上下方向に回動させ得る薄肉部とを備え、前記保持部、取付け部及び薄肉部は、樹脂により一体成形されていることを特徴とする電子楽器用鍵盤装置を提供するものである。
【０００７】
前記電子楽器用鍵盤装置は、以下のようにして、より望ましい形態とすることができる。
１．前記連結部は、上下方向に延びたものとすることができる。
２．前記取付け部は、複数の鍵にまたがる一体構造とされ複数の薄肉部に結合されているものとすることができる。
３．前記電子楽器用鍵盤装置は、前記取付け部と前記鍵盤フレームとが、相互の結合のための係合部を備えたものとすることができる。
４．前記取付け部は、鍵盤装置における演奏者に近い側を前方としたときに、前記薄肉部の上部から後方へ延び、前記保持部が前記薄肉部の下部から前方へ延びているものとすることができる。
５．前記電子楽器用鍵盤装置はまた、前記保持部が前記錘部の前端部を受け入れて保持するための孔部を有し、該孔部は前記保持部の後端から前方へ延びているものとすることができる。
６．前記薄肉部が、前記保持部より幅を広くされているものとすることができる。
７．前記電子楽器用鍵盤装置はまた、前記薄肉部の幅が鍵の配列間隔より大きく、前記取付け部は、隣り合う前記薄肉部が前後又は上下にずれた位置となるように前記薄肉部を支持しているものとすることができる。
８．前記薄肉部は、幅方向両側に対し、幅方向中央部が、より薄肉又は空所となっているものとすることができる。
【発明の効果】
【０００８】
本発明に係る電子楽器用鍵盤装置は、質量体は、鍵盤フレームへの取付け部と錘部のための保持部とを薄肉部により、上下方向に回動可能に連結しており、これらの部分は、樹脂により一体成形されている。したがって、打鍵時の動作部分とは別個の取付け部で鍵盤フレームへの取付けができるので、取付けのための構造が簡単であり、取付作業が容易となっている。また、錘部を伴った保持部の回動は、薄肉部の弾性変形で行なわれるので、動作部分が接触し合う構造となっておらず、緩衝材や潤滑剤を用いなくても、雑音発生のおそれがないため、この点においても構造が簡単となっている。
【発明を実施するための最良の形態】
【０００９】
以下、本発明の実施形態について添付図面を参照しつつ説明する。図面中の同一又は同種の部分については、同じ番号を付して説明を省略することがある。以下の実施形態の説明においては、電子鍵盤楽器における演奏者に近い側を「前」、演奏者から遠ざかる側を「後」と称することとする。
【００１０】
図１は、本発明の一実施形態に係る電子楽器用鍵盤装置の要部を概略的に示す。この鍵盤装置は、鍵２０と、該鍵に連動して回動する質量体３０と、これらの鍵及び質量体を上下方向に回動可能に支持する鍵盤フレーム４０（一部のみを示す）とを備えている。鍵２０は、押鍵作用を受ける鍵本体２１と、その前端側から垂下するアクチュエータ２２とを備え、鍵盤フレームに設けられた支点４１により後端部を回動可能に支持されている。質量体３０は、金属棒により形成された錘部３１と、該錘部の保持部３２と、鍵盤フレーム４０への取付け部３３と、取付け部３３を保持部３２に対して上下方向に回動可能に連結する薄肉部３４と、鍵の動作を受ける受動部３５とを備えている。この実施形態では、薄肉部３４は取付け部３３からほぼ水平に前方へ延びており、保持部３２の上面に突設された接続部３２１に結合し、弾性変形により保持部３２を錘部３１と共に上下方向に回動させ得る。これら保持部３２、取付け部３３、薄肉部３４及び受動部３５は、樹脂により一体成形されている。鍵盤フレーム４０について、図は質量体を支持する部分のみを示しているが、鍵盤及び質量体の配列全体を支持しており、楽器本体に固定されている。
【００１１】
質量体３０の錘部３１は、鉄、真鍮等の金属を適宜の長さとし、打鍵時の回動に対する慣性抵抗より奏者にタッチの重さを感じさせる役割をなす。錘部３１の重量、長さ等は適切な慣性抵抗が得られるように決められ、保持部３２から遠い側の端部は必要により折り返し等により質量を増すことができる。
【００１２】
薄肉部３４は、錘部３１の重量及び打鍵時に受ける押圧力を支持する強度を有し、且つ、打鍵時に錘部３１と共に保持部３２を回動させ得る弾性を有し、繰り返される弾性変形に対する耐久性を有するものとされる。そのような性質を得ることができる樹脂としては、例えば、ＰＯＭ樹脂、ＡＢＳ樹脂、ＡＳ樹脂等を挙げることができる。
【００１３】
取付け部３３は、この例では、平らな形状をなし、該取付け部３３に設けられた貫通孔を通して、ビス３３１により鍵盤フレーム４０に取り付けられている。
【００１４】
受動部３５は、保持部３２から前方へ上下に枝分かれした部分で構成されており、上片３５１はアクチュエータ２２に前後方向に設けられた貫通孔に挿入され、下片３５２はアクチュエータ２２の下端に接する位置にある。
【００１５】
この構造により、質量体は、受動部３５をアクチュエータ２２に係合させた状態で、取付け部３３を鍵盤フレーム４０にビス止めすれば取り付けることができ、取付けのための構造が簡単で取付作業が容易となっている。押鍵時状態では、図に一点鎖線で示すように、薄肉部３４が弾性的に撓んで質量体３０が回動する。この構成によれば、動作部分が接触した状態で相対移動する構造となっていないので、緩衝材や潤滑剤を用いなくても、雑音発生のおそれがない。
【００１６】
図２は、本発明の他の実施形態に係る電子楽器用鍵盤装置の要部を概略的に示す。この鍵盤装置は、図１の実施形態とほぼ同様の構造を有しており、同様の利点が得られる。但し、この実施形態では、質量体の薄肉部３４ａが取付け部３３から下向きに延び、保持部３２の上面に突設された接続部３２１に結合している。この実施形態では、押鍵時にアクチュエータ２２が質量体３０の受動部３５を下向きに押すので、受動部３５から取付け部３３までの範囲には、下向きの力が作用する。これに対し、薄肉部３４ａは、図示のように取付け部３３から下方へ延びているので、押鍵時に薄肉部３４自身が変形する量が小さい。したがって、鍵２０及びアクチュエータ２２の動作が、薄肉部３４を中心として効率的に保持部３２及び錘部３１の回動動作に変換される。
【００１７】
図３は、本発明のさらに他の実施形態に係る電子楽器用鍵盤装置の要部を概略的に示しており、(a)は平面図、(b)は側面図である（鍵の図示は省略している）。この鍵盤装置は、図２に示した構造を基本としている。但し、この実施形態では、取付け部３３ａが、複数の鍵２０に対して一体的に設けられている。他の部分は、各鍵に対応してする個別に設けられており、１つの取付け部３３ｂに対して複数の薄肉部３４が結合されている。１つの取付け部３３ａに対応する鍵の数は、２鍵から全鍵の内から必要に応じて適宜決めることができ、複数鍵に跨る取付け部３３ａを複数用いてもよいし、１鍵毎の取付け部３３を有するものと組合せてもよい。このように、複数の鍵に対して１つの取付け部３３ａを用いることにより、取付作業がより容易且つ迅速となる。また、ビス等の固定手段の数を減らすことにより、全体として軽量化を図ることもできる。
【００１８】
図４は、本発明のさらに他の実施形態に係る電子楽器用鍵盤装置の要部を概略的に示している。この実施形態は、図２又は図３の構造を基本とし、特徴的な取付け部構造を備えている。図４(a)は、取付け部３３ｂに対し、鍵盤フレーム４０にフック４２を設けて固定する構造となっている。図４(b)は、取付部分を拡大して示す。図示のように、取付け部３３ｂには、上面に突起３３２が形成されており、フック４２には、突起３３２に対応した凹部が形成されている。フック４２は、１鍵に対応する幅で設けてもよいし、２鍵又はそれ以上に亘って延びる幅としてもよい。また、取付け部３３も、１鍵毎に設けてもよいし、複数鍵に跨る幅としてもよい。
【００１９】
この構造によれば、取付け部３３ｂ又はフック４２を弾性変形させて突起３３２を係合させることにより、取付け部３３ｂはフック４２を介して鍵盤フレーム４０に固定され、取付作業が、さらに容易且つ迅速となる。打鍵に伴う外力は、薄肉部３４を介して取付け部３３に対し主として下方に作用する。したがって、打鍵時にも、フック４２の係止により取付け部３３は十分に保持される。
【００２０】
図４(c)は、鍵盤フレーム４０に上下方向に延びる筒部４３を設け、取付け部３３ｃを下方から挿入するようにした取付構造を示している。筒部４３は、上下方向に延びる空所を有し、該空所に取付け部３３ｃを受け入れる。図４(d)は、取付部分を拡大して示す。図示のように、取付け部３３ｃには、側面に突起３３３が形成されており、筒部４３には、突起３３３に対応した凹部が形成されている。
【００２１】
筒部４３は、１鍵毎に独立して設けてもよいが、複数鍵に亘って延びる幅とすることにより、製造が容易となる。また、筒部４３を複数鍵に亘って延びる幅とした場合は、取付け部３３ｃを受け入れる空所は、１鍵に対応する幅としてもよいし、２鍵又はそれ以上に亘って延びる幅としてもよい。さらに、該空所を２鍵又はそれ以上に亘って延びる幅としたときは、取付け部３３ｃを１鍵毎に設けてもよいし、複数鍵に跨る幅で設けてもよい。
【００２２】
この構造によれば、取付け部３３ｃ又は筒部４３を弾性変形して突起３３３を係合させることにより、取付け部３３ｃは筒部４３を介して鍵盤フレーム４０に固定され、取付作業が、さらに容易且つ迅速となる。
【００２３】
なお、上記の実施形態において、取付け部をフック４２又は筒部４３に固定するためには、突起と凹部との係合による他、接着剤、相互に係合し合う鉤状部材等を用いることもできる。
【００２４】
図５は、本発明のさらに他の実施形態に係る電子楽器用鍵盤装置の要部を概略的に示している。この実施形態は、図５(a)に示すように、図２又は図３の構造を基本とし、樹脂の成形に有利な構造を備えている。すなわち、樹脂による成形部分は、取付け部３３が薄肉部３４の上部から後方へ延び、保持部３２ａが薄肉部３４の下部から前方へ延びた形状となっている。そして、保持部３２ａの前端部から受動部３５の上片３５１及び下片３５２が前方へ延びている。
【００２５】
この構造によれば、上記樹脂部分を成形する際には、図に一点鎖線とハッチングで示すように、保持部３２ａから取付け部３３までの部分は、成形型を上下２つの型Ｍ１，Ｍ２で成形することができ、樹脂成形後に各型を上方及び下方へ抜くことができる。なお、受動部３５の成形型Ｍ３は、成形後に前方へ抜かれる。
【００２６】
一方、既に述べた実施形態のように保持部３２が薄肉部３４より後方まで延びている構造では、図６に示すように、保持部３２から取付け部３３までの部分の成形には、成形型として、上下２つの型Ｍ１，Ｍ２、及び、保持部３２と取付け部３３との間に入る中間型Ｍ４が必要となる。その結果、樹脂成形後に各型を上方、下方及び側方へ抜く必要が生じ、型の構造及び成形工程が複雑化する。
【００２７】
なお、保持部３２ａには、該保持部の後端から前方へ延びる孔部３３４を設け、錘部３１の前端部を受け入れるようにする。この孔部３３４は、成形後に切削加工により形成してもよいが、図５(b)に示すように、下型Ｍ２に対して摺動するスライド型Ｍ２ａを用い、スライド型Ｍ２ａの先端部を孔部に相当する形状とすることもできる。このように、孔部３３４までも同時に成形する構造とすれば、複数の鍵に跨る取付け部３３を持つ質量体用アッセンブリを効率的に製造することができる。錘部３１は、孔部３３４に対して緊く嵌合されるか、錘部３１に設けたねじ部により螺入されることにより、保持部３２に固定される。
【００２８】
図７は、本発明のさらに他の実施形態に係る電子楽器用鍵盤装置の要部を概略的に示している。この実施形態は、図３の構造を基本とし、薄肉部３４ｂが、保持部３３より幅を広くされている。このように、薄肉部３４ｂは、幅を広くされることにより、ねじれ剛性が高くなり、その結果、質量体の左右方向（鍵盤の間口方向）への振れ（矢符Ａ）が防止される。
【００２９】
図８に示すように、薄肉部３４の幅が狭いと、該薄肉部のねじれ剛性が低くなり、質量体の左右方向への振れ（矢符Ａ）が大きくなる。その結果、押鍵時に質量体が、隣り合う質量体又はフレームに接触するおそれがある。これを防止するためには、規制ガイド６０を質量体３０の両側に当てがうという手段を講じることができる。しかしながら、規制ガイド６０を設けると、質量体３０は規制ガイド６０との接触による摩擦抵抗を受けることとなる。特に、振れ防止作用を高めるためには、規制ガイド６０を前後方向に長くして質量体３０の回動支点から遠い位置でガイドするのが望ましいが、この位置では質量体の移動速度が大きく、これにつれて接触抵抗も増大し、タッチ感の悪化の原因となり易い。
【００３０】
これに対し、図７の実施形態によれば、質量体の左右方向への振れが防止されるので、規制ガイドをなくし、或いは、設けるときにも寸法を小さくして接触抵抗を減少させることができる。
【００３１】
図９及び図１０は、本発明のさらに他の実施形態に係る電子楽器用鍵盤装置の要部を概略的に示しており、図９は平面図であり、図１０(a)及び(b)は各々図９のa-a線及びb-b線に沿う断面を示している。この実施形態は、図３の構造を基本とし、薄肉部の幅が鍵の配列間隔より大きされている。薄肉部をこのように幅広とするために、この実施形態では、取付け部は、隣り合う薄肉部が前後にずれた位置となるように支持している。すなわち、図示の隣り合う２つの質量体３０の内、一方の位置（図の上方）では、前方へ延びた突出部３３５を取付け部３３ｄが備えている。この突出部３３５は、基端部３３５ａが狭く、先端部３３５ｂが広くなっており、その先端から薄肉部３４ｃが下方へ延びている。他方の位置（図の下方）にある質量体３０に対しては、取付け部３３は突出部を備えず、その平らな面から薄肉部３４ｄが下方へ延びている。突出部３３５の基端部３３５ａは、隣の薄肉部３４ｄが鍵の配列間隔より広幅となっていても干渉しないように、幅が狭くされ、突出部３３５の先端部３３５ｂは、鍵の配列間隔より広幅の薄肉部３４ｃと同じ幅に広がっている。
【００３２】
このように、隣り合う薄肉部３４ｃ，３４ｄの位置を前後にずらすことにより、各薄肉部の幅を鍵の配列間隔より大きくしても、相互に干渉するのが避けられる。これにより、薄肉部３４ｃ，３４ｄは、図７に示した例よりも幅広され、ねじれ剛性が高まる結果、質量体の左右方向への振れがより確実に防止される。
【００３３】
なお、図１の実施形態について、薄肉部３４を鍵の配列間隔より広幅とする場合は、隣り合う質量体の一方の位置において取付け部３３を隣の位置より高くする突出部を設ければよく、図９及び図１０の実施形態において前方へ形成された突出部３３５を、上方へ形成することにより、同様の効果を得ることができる。
【００３４】
図１１は、本発明のさらに他の実施形態に係る電子楽器用鍵盤装置の要部を概略的に示しており、(1)は斜視図、(2)は平面図である。この実施形態は、図３の構造を基本とし、薄肉部３４ｅは、幅方向の両側に側壁部３４１が形成され、幅方向の中央部３４２が、空所となっている。また、取付け部３３ｅは、鍵並び方向に延びる取付け部本体３３０の前端から、側壁部３４１に対応する幅で突出部３３６が延び、該側壁部３４１に結合している。また、保持部３２ａは、後端部に左右方向に延びる接続部３２１を備えており、薄肉部３４ｅの下端は接続部３２１に結合している。
【００３５】
この構造において、薄肉部３４ｅは、幅広となる程、ねじれ剛性が高くなって質量体３０の左右への振れを防止するが、幅広となることにより、曲げ剛性も高くなるため、質量体３０の上下方向への回動に対する抵抗が強まる。この抵抗が大きすぎると、タッチ感を悪化させることとなる。これに対し、この実施形態では、薄肉部３４ｅは、幅方向両側に側壁部３４１を有し、且つ、中央部３４２が空所となっているので、薄肉部３４ｅのねじれ剛性を高くしながら、曲げ剛性は低く抑えて質量体３０の回動に対する抵抗を低くしている。その結果、質量体３０の左右への振れを防止しつつ、良好なタッチ感を実現することができる。
【００３６】
さらに、この実施形態では、(i) 取付け部３３ｅの１対の突出部３３６が薄肉部３４ｅの１対の側壁部３４１へと連続し、その間に空所が形成されており、(ii) 取付け部３３ｅが薄肉部３４ｅの上部から後方へ延び、保持部３２ａが薄肉部３４ｅの下部から前方へ延びた形状となっている。したがって、取付け部３３ｅから保持部３２ａ及び受動部３５に至る樹脂部分の成形を、以下のように、簡易な構造の成形型で行なうことができる。
【００３７】
図１２は、上記樹脂部分と成形型との関係を示しており、図１１(2)のXII-XII線に沿って階段状に切断した断面を示している。また、図１３の(a-a)〜(d-d)は、各々図１１(2)のa-a線、b-b線、c-c線、d-d線に沿う断面を示している。図示のように、成形型は、上型Ｍａ、下型Ｍｂ、後型Ｍｃ、前型Ｍｄにより構成されている。ここでは、錘部３１を型に納めた状態で、インサート成形を行なう。保持部３２ａ成型用のキャビティは、接続部３２１を含めて、上型Ｍａ、下型Ｍｂ及び前型Ｍｄにより形成される。この樹脂部分の形状では、取付け部３３ｅの１対の突出部３３６と薄肉部３４ｅの１対の側壁部３４１との間に空所が存在する。したがって、上型Ｍａは、その空所に相当する部分を通って下降して所定位置に到達することができる。その状態は、図１３(a-a)及び(b-b)において、上型Ｍａの後部にある下片ｍa1が、接続部３２１を囲む位置に到達していることにより示されている。
【００３８】
後型Ｍｃは、錘部３１の幅より僅かに広い幅を有し、錘部３１の上方の位置で上型Ｍａとの間に、取付け部３３ｅの本体３３０用のキャビティを形成する。後型Ｍｃの両側には下型Ｍｂが位置し、図１３(c-c)に示すように、上型Ｍａとの間に、取付け部の本体３３０、突出部３３６、薄肉部の側壁部３４１、保持部の接続部３２１のためのキャビティを形成し、また図１３(d-d)に示すように、取付け部の本体３３０のためのキャビティを形成する。
【００３９】
このようにして、図１１に示す実施形態の樹脂部分の形状に基づき、成形型の構造を簡素化した合理的な成形が可能となる。
【００４０】
なお、薄肉部３４ｅのねじれ剛性を高くしながら、曲げ剛性は低く抑えるという効果を得るためには、薄肉部３４ｅは、幅方向の中央部３４２を、その両側の側壁部３４１に対して、より薄肉とすることもできる。
【００４１】
本発明は、上記実施形態に限定されるものではなく、種々の変形が可能である。例えば、図７，図９，図１１に示した実施形態では、取付け部を複数鍵に跨る幅のものとしたが、１鍵毎に独立した幅とすることもできる。錘部３１は、金属棒で形成するほか、円形、多角形等の１個又は複数の金属塊とし、これを保持部で保持することもできる。薄肉部を保持部に結合するには、実施形態に示した接続部３２１を介する他、接続部を省略して直接結合することもできる。また、各実施形態の図は白鍵について示しているが、黒鍵についても同様の構造とすることができる。
【００４２】
なお、電子楽器用鍵盤装置の形態としては、薄肉部が、樹脂に代えて金属製板ばねとされ、取付け部及び保持部に結合されたものも可能であり、その結合は、例えば、取付け部及び保持部の成形時に板ばねの端部を埋設するインサート成形により行なうことができる。
【図面の簡単な説明】
【００４３】
【図１】本発明の一実施形態に係る電子楽器用鍵盤装置の要部を概略的に示す側面図である。
【図２】本発明の他の実施形態に係る電子楽器用鍵盤装置の要部を概略的に示す側面図である。
【図３】本発明のさらに他の実施形態に係る電子楽器用鍵盤装置の要部を概略的に示しており、(a)は平面図、(b)は側面図である。
【図４】本発明のさらに他の実施形態に係る電子楽器用鍵盤装置の要部を概略的に示しており、(a)は一形態の側面図、(b)はその一部の拡大図、(c)は他の形態の側面図、(d)はその一部の拡大図である。
【図５】本発明のさらに他の実施形態に係る電子楽器用鍵盤装置の要部を概略的に示しており、(a)は成形型の一例と共に示す側面図、(b)は成形型の他の例と共に示す側面図である。
【図６】図５に示した実施形態に関する説明図である。
【図７】本発明のさらに他の実施形態に係る電子楽器用鍵盤装置の要部を概略的に示す平面図である。
【図８】本発明のさらに他の実施形態に係る電子楽器用鍵盤装置の要部を概略的に示しており、(a)は平面図、(b)は側面図である。
【図９】本発明のさらに他の実施形態に係る電子楽器用鍵盤装置の要部を概略的に示す平面図である。
【図１０】図９に示した実施形態の側面図であり、(a)及び(b)は各々図９のa-a線及びb-b線に沿う断面を示している。
【図１１】本発明のさらに他の実施形態に係る電子楽器用鍵盤装置の要部を概略的に示す図であり、(1)は斜視図、(2)は平面図である。
【図１２】図１１に示した実施形態の成形型に関する説明図である。
【図１３】図１１に示した実施形態の成形型を異なる断面で示す側面図である。
【図１４】従来の電子楽器用鍵盤装置の一例を示す側面図である。
【符号の説明】
【００４４】
２０：鍵、  ３０：質量体、  ４０：鍵盤フレーム、  ４１：支点、  ３１：錘部、  ３２，３２ａ：保持部、  ３３，３３ａ，３３ｂ，３３ｃ，３３ｄ，３３ｅ：取付け部、  ３４，３４ａ，３４ｂ，３４ｃ，３４ｄ：薄肉部、  ３５：受動部
【図１】
2008241885.tif 000003
【図２】
2008241885.tif 000004
【図３】
2008241885.tif 000005
【図４】
2008241885.tif 000006
【図５】
2008241885.tif 000007
【図６】
2008241885.tif 000008
【図７】
2008241885.tif 000009
【図８】
2008241885.tif 000010
【図９】
2008241885.tif 000011
【図１０】
2008241885.tif 000012
【図１１】
2008241885.tif 000013
【図１２】
2008241885.tif 000014
【図１３】
2008241885.tif 000015
【図１４】
2008241885.tif 000016